(57)【要約】【課題】直列接続された複数の発光素子の中で、不点灯状態となる素子が現出してもその他の素子での発光をより長く維持する。【解決手段】直列接続された複数のＬＤを有するＬＤアレイ31と、ＬＤアレイ31に対する定格電力での駆動時に、一部のＬＤの光学故障を検出し、その検出結果に基づいて、他のＬＤへの供給電力を定格電力より低下させる投影処理部(13)とを備える。【選択図】図２
2017157475.tif 000002
【特許請求の範囲】
【請求項１】
直列接続された複数の発光素子と、
上記複数の発光素子に対する第１の電力での駆動時に、上記複数の発光素子のうちの一部の発光素子の光学故障を検出する検出部と、
上記検出部での検出結果に基づき、上記一部の発光素子以外の他の発光素子への供給電力を上記第１の電力より低下させた第２の電力とする電力制御部と、
を備えることを特徴とする光源装置。
【請求項２】
上記検出部は、上記一部の発光素子の光学故障に伴う、上記他の発光素子に供給される電力の増加により、上記一部の発光素子の光学故障を検出することを特徴とする請求項１記載の光源装置。
【請求項３】
上記電力制御部は、上記他の発光素子に対する上記第２の電力での駆動時に、上記他の発光素子のうちの一部の発光素子の光学故障を検出した場合の各発光素子に流れる電流値が、上記複数の発光素子に対する上記第１の電力での駆動時における各発光素子に流れる電流値よりも低い値となるように、上記他の発光素子へ供給する上記第２の電力における各発光素子に流れる電流値を設定することを特徴とする請求項１または２記載の光源装置。
【請求項４】
上記検出部での検出結果に基づき、上記発光素子の故障を示す情報を出力する警告出力部をさらに備えることを特徴とする請求項１乃至３いずれか記載の光源装置。
【請求項５】
上記複数の発光素子と発光色が異なる第２の発光素子をさらに備え、
上記電力制御部は、上記他の発光素子への供給電力を上記第１の電力より低下させる度合いに応じて、上記第２の発光素子の発光量が低下するように制御する、
ことを特徴とする請求項１乃至４いずれか記載の光源装置。
【請求項６】
請求項１乃至５いずれか記載の光源装置と、
上記光源装置から供給される光を用いて光像を形成し、被投影対象に照射して結像させる投影部と、
を備えることを特徴とする投影装置。
【請求項７】
直列接続された複数の発光素子を備えた装置での光源制御方法であって、
上記複数の発光素子に対する第１の電力での駆動時に、上記複数の発光素子のうちの一部の発光素子の光学故障を検出する検出工程と、
上記検出工程での検出結果に基づき、上記一部の発光素子以外の他の発光素子への供給電力を上記第１の電力より低下させた第２の電力とする電力制御工程と、
を有することを特徴とする光源制御方法。
【発明の詳細な説明】
【技術分野】
【０００１】
本発明は、特に複数の発光素子を同時に発光駆動する場合に好適な光源装置、投影装置及び光源制御方法に関する。
【背景技術】
【０００２】
複数の光源のいずれかに短絡故障が生じても、適切な輝度を提供することを可能とするべく、短絡故障した光源を特定し、特定した光源への電流供給を停止した上で、特定されなかった他の光源の数に応じた電流を超えない電流を供給するよう制御する技術が提案されている。（例えば、特許文献１）
【先行技術文献】
【特許文献】
【０００３】
【特許文献１】特開２０１５−０７９５６６号公報
【発明の概要】
【発明が解決しようとする課題】
【０００４】
上記特許文献に記載された技術は、並列接続された複数の半導体光源を個別にスイッチング制御して駆動する回路に対して提案されたものである。
【０００５】
一般に半導体発光素子、例えばＬＤ（レーザダイオード、半導体レーザ）を含む広義でのＬＥＤ（発光ダイオード）を複数接続して同時に点灯させる場合、各ＬＥＤの順方向降下電圧（ＶＦ）には個体差がある。そのため、並列に接続して駆動すると、最も順方向降下電圧が低い素子にのみ電流が集中して発熱し、電気抵抗とＶＦの値が減少し、さらに電流の集中が促進され、最大定格電流を超えると、加熱による寿命短縮や焼損に至る。そして、素子の破壊がオープンモードであった場合は、並列接続されている素子中で、次に順方向降下電圧が低い素子にさらに大きな電流が集中し、結果として連鎖的に破壊が進行する、という不具合を生じる。
【０００６】
したがって、複数のＬＥＤを同時に点灯する場合には、可能な限り直列接続した上で、抵抗や能動素子で定電流制御した回路を１単位とし、この単位回路を並列に電源に接続する必要がある。
【０００７】
ただし、直列接続された複数のＬＥＤの回路においては、そのうちの１つが不点灯状態から断線に移行した時点で、当然ながら回路内のすべてのＬＥＤが消灯する。
【０００８】
本発明は上記のような実情に鑑みてなされたもので、その目的とするところは、直列接続された複数の発光素子の中で、不点灯状態となる素子が現出してもその他の素子での発光をより長く維持することが可能な光源装置、投影装置及び光源制御方法を提供することにある。
【課題を解決するための手段】
【０００９】
本発明の一態様は、直列接続された複数の発光素子と、上記複数の発光素子に対する第１の電力での駆動時に、上記複数の発光素子のうちの一部の発光素子の光学故障を検出する検出部と、上記検出部での検出結果に基づき、上記一部の発光素子以外の他の発光素子への供給電力を上記第１の電力より低下させた第２の電力とする電力制御部と、を備えることを特徴とする。
【発明の効果】
【００１０】
本発明によれば、直列接続された複数の発光素子の中で、不点灯状態となる素子が現出してもその他の素子での発光をより長く維持することが可能となる。
【図面の簡単な説明】
【００１１】
【図１】本発明の一実施形態に係るデータプロジェクタ装置の概略的な機能構成を示すブロック図。
【図２】同実施形態に係る光学系の構成を例示する図。
【図３】同実施形態に係る青色光を発するＬＤアレイの外観構成を示す斜視図。
【図４】同実施形態に係る光源部の発光駆動に対する処理内容を示すフローチャート。
【発明を実施するための形態】
【００１２】
以下本発明をＤＬＰ（登録商標）（Ｄｉｇｉｔａｌ  Ｌｉｇｈｔ  Ｐｒｏｃｅｓｓｉｎｇ）方式のプロジェクタ装置に適用した場合の一実施形態について図面を参照して説明する。
【００１３】
図１は、本実施形態に係るプロジェクタ装置１０の概略機能構成を示す図である。入力部１１は、例えばＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子、ピンジャック（ＲＣＡ）タイプのビデオ入力端子、Ｄ−ｓｕｂ１５タイプのＲＧＢ入力端子などにより構成される。入力部１１に入力された各種規格の画像信号は、入力部１１で必要に応じてデジタル化された後に、システムバスＳＢを介して画像変換部１２に送られる。
【００１４】
画像変換部１２は、スケーラとも称され、入力される画像データを投影に適した所定のフォーマットの画像データに統一して投影処理部１３へ送る。
【００１５】
投影処理部１３は、送られてきた画像データに応じて、所定のフォーマットに従ったフレームレート、例えば６０［フレーム／秒］と色成分の分割数、及び表示階調数を乗算した、より高速な時分割駆動によりマイクロミラー素子１４を表示するべく駆動する。
【００１６】
このマイクロミラー素子１４は、アレイ状に配列された複数、例えばＷＸＧＡ（Ｗｉｄｅ  ｅＸｔｅｎｄｅｄ  Ｇｒａｐｈｉｃ  Ａｒｒａｙ）（横１２８０画素×縦８００画素）分の微小ミラーの各傾斜角度を個々に高速でオン／オフ動作して画像を表示することで、その反射光により光像を形成できる。
【００１７】
一方で、光源部１５から時分割でＲ，Ｇ，Ｂの原色光を含む複数色の光が循環的に時分割で順次出射される。この光源部１５からの光が、ミラー１６で全反射して上記マイクロミラー素子１４に照射される。  
そして、マイクロミラー素子１４での反射光で光像が形成され、形成された光像が投影レンズ部１７を介して、投影対象となる図示しないスクリーンに投影表示される。
【００１８】
なお、後述する光源部１５内の各発光素子への電力調整等の制御は、ＣＰＵ１８の制御の下に上記投影処理部１３が直接実行する。投影処理部１３は、光源部１５内の発光素子の駆動状態を検出し、その駆動状態に応じた電力調整等を行なう。
【００１９】
上記各回路の動作すべてをＣＰＵ１８が制御する。このＣＰＵ１８は、メインメモリ１９及びプログラムメモリ２０と直接接続される。メインメモリ１９は、例えばＳＲＡＭで構成され、ＣＰＵ１８のワークメモリとして機能する。プログラムメモリ２０は、電気的に書換可能な不揮発性メモリで構成され、ＣＰＵ１８が実行する動作プログラムや各種定型データ等を記憶する。ＣＰＵ１８は、上記メインメモリ１９及びプログラムメモリ２０を用いて、このプロジェクタ装置１０内の制御動作を実行する。
【００２０】
上記ＣＰＵ１８は、操作部２１からのキー操作信号に応じて各種投影動作を実行する。  
この操作部２１は、プロジェクタ装置１０の本体に設けられるキー操作部と、このプロジェクタ装置１０専用の図示しないリモートコントローラからの赤外光を受光する赤外線受光部とを含み、ユーザが本体のキー操作部またはリモートコントローラで操作したキーに基づくキー操作信号をＣＰＵ１８へ直接出力する。
【００２１】
上記ＣＰＵ１８はさらに、上記システムバスＳＢを介して音声処理部２２とも接続される。音声処理部２２は、ＰＣＭ音源等の音源回路を備え、投影動作時に与えられる音声データをアナログ化し、スピーカ部２３を駆動して拡声放音させ、あるいは必要によりビープ音等を発生させる。
【００２２】
図２により上記光源部１５を２種類の半導体発光素子を用いて構成した場合の光学系の構成について説明する。  
光源部１５は、まず第１の半導体発光素子として、青色のレーザ光を発する半導体発光素子であるＬＤアレイ３１を有する。  
図３に示すように、このＬＤアレイ３１は、例えば４×２（図２の図面鉛直方向）の計８個のＬＤがアレイ状に配列され、計８個のＬＤが直列接続されて発光駆動される。ＬＤアレイ３１を構成する個々のＬＤの各駆動電流は、上記投影処理部１３により制御される。
【００２３】
このＬＤアレイ３１が発する青色（Ｂ）のレーザ光は、ＬＤアレイ３１と対向するべく階段状に配列されたミラーアレイ３２で９０°の角度で反射され、レンズ３３，３４で集光されて平行な光束とされた後、ダイクロイックミラー３５を透過し、レンズ３６，３７を介して光源の一部としてのカラーホイール３８の周面に照射される。
【００２４】
カラーホイール３８は、回転駆動部であるモータ（Ｍ）３９の駆動により回転するもので、周面に透過用拡散板（色フィルタ）３８ｂと蛍光体層（色フィルタ）３８ｇとを領域を分割して配置している。
【００２５】
カラーホイール３８の蛍光体層３８ｇがある周面位置には、ＬＤアレイ３１からのレーザ光が照射される面に蛍光体が塗布されて蛍光層を形成すると共に、蛍光体層３８ｇが形成されている面の裏面には反射板が蛍光体層と重なるように設けられている。
【００２６】
ＬＤアレイ３１からのレーザ光の光路上に上記カラーホイール３８の蛍光体層３８ｇがある場合、当該蛍光体層３８ｇは青色のレーザ光の照射により励起され、緑色の光を発する。
【００２７】
カラーホイール３８から発した緑色光（Ｇ）は、蛍光体層３８ｇの裏面側に形成された上記反射板により一様に上記レンズ３６，３７側に導かれ、上記ダイクロイックミラー３５で反射される。
【００２８】
ダイクロイックミラー３５で反射された緑色光は、レンズ４１を介してダイクロイックミラー４２で反射された後、レンズ４３を介し、インテグレータ４４を通って輝度分布が均一な光束とされる。インテグレータ４４を出射した緑色光は、さらにレンズ４５を介してミラー４６で反射され、レンズ４７を介して上記ミラー１６で反射された後にレンズ４８を介して上記マイクロミラー素子１４に照射される。
【００２９】
そして、このマイクロミラー素子１４からの上記投影レンズ部１７方向への反射光で光像が形成されるもので、当該光像は上記レンズ４８を介して上記投影レンズ部１７により投影対象の図示しないスクリーン等に照射される。
【００３０】
また、上記ＬＤアレイ３１からのレーザ光の光路上に上記カラーホイール３８の透過用拡散板３８ｂがある場合、当該拡散板３８ｂを介して拡散しつつ透過した青色光（Ｂ）は、レンズ５０を介してミラー５１で反射され、レンズ５２を介してさらにミラー５３で反射された後に、上記ダイクロイックミラー４２を透過し、レンズ４３を介してインテグレータ４４を通って輝度分布が均一な光束とされる。インテグレータ４４を出射した青色光は、さらにレンズ４５を介してミラー４６で反射され、レンズ４７を介して上記ミラー１６に至る。
【００３１】
さらに光源部１５は、第２の半導体発光素子として、赤色光を発する半導体発光素子であるＬＥＤ（発光ダイオード）５５を有する。このＬＥＤ５５の駆動電流も、上記投影処理部１３により制御される。  
ＬＥＤ５５が発する赤色光は、レンズ５６，５７を介して、上記ダイクロイックミラー３５を透過し、上記レンズ４１を介して上記ダイクロイックミラー４２で反射された後、レンズ４３を介してインテグレータ４４を通って輝度分布が均一な光束とされる。インテグレータ４４を出射した赤色光は、さらにレンズ４５を介してミラー４６で反射され、レンズ４７を介して上記ミラー１６に至る。
【００３２】
次に、上記実施形態の動作について説明する。  
なお本実施形態では、赤色光を発するＬＥＤ５５よりも、青色光を発するＬＤアレイ３１を構成する個々のＬＤの方が、アレイ構造であることを含めて熱的負荷が大きく、発光／発振部位の光学故障の可能性が高いものと想定している。
【００３３】
上記光学故障の状態にあっては、当該素子は導通を維持しており、直列接続される他のＬＤの点灯を妨げることはないものの、光学故障したそのＬＤ自体は不点灯となる。この光学故障の状態では、それまでの正常な状態と同様の電力で駆動する場合、光学故障を起こしたＬＤの分だけ、正常なＬＤに流れる電流の値が定格の電流値より上昇する。
【００３４】
その後、もし仮に定格の電流値より高い電流値の駆動で正常なＬＤの点灯を継続した場合、光学故障を起こしたＬＤは、短時間のうちに不点灯状態のまま断線してオープン状態となり、結果として直列接続されているＬＤアレイ３１全体が消灯することになる。
【００３５】
図４は、ＣＰＵ１８の制御の下で、投影処理部１３が光源部１５内のＬＤアレイ３１及びＬＥＤ５５に対して実行する駆動制御の処理内容を示すフローチャートである。  
ここでは、時分割駆動される光源部１５のＬＤアレイ３１とＬＥＤ５５に関して、説明を簡易にするために駆動タイミングの概念を排除して説明を行なうが、本来は画像フレームを構成する複数のフィールド、例えばＲＧＢの原色フィールドのみで画像を投影する場合であれば、Ｒ（赤色画像）フィールドにＬＥＤ５５が、Ｇ（緑色画像）フィールド及びＢ（青色画像）フィールドにＬＤアレイ３１がそれぞれ時分割で発光駆動される。
【００３６】
投影を開始する当初においては、ＬＤアレイ３１及びＬＥＤ５５をそれぞれ予め設定されている定格電流値で駆動する（ステップＳ１０１）。
【００３７】
例えば、正常時にＬＤアレイ３１を構成する８個のＬＤの個々に印加する定格電圧が４．２［Ｖ］、定格電流が４．０［Ａ］であった場合、ＬＤアレイ３１に供給する電力は  
４．２[Ｖ]×４．０[Ａ]×８[個]＝１３４．４[Ｗ]（第１の電力）  
となる。
【００３８】
投影処理部１３では、ＬＤアレイ３１を構成する個々のＬＤに流れる電流の値を検出した上で（ステップＳ１０２）、検出した電流値が定格電流値を超えているか否かにより、ＬＤアレイ３１を構成するＬＤのいずれかに光学故障が生じているか否を判断する（ステップＳ１０３）。Ｂ−ＬＤ素子全体であるＬＤアレイ３１に流れる電流を電源回路で検出する。
【００３９】
検出した電流値が定格電流値を超えておらず、ＬＤアレイ３１を構成するＬＤはいずれも光学故障を生じておらず正常であると判断した場合（ステップＳ１０３のＮｏ）、投影処理部１３は再び上記ステップＳ１０１からの処理に戻り、正常状態での光源部１５での発光駆動を継続する。
【００４０】
上記ステップＳ１０１〜Ｓ１０３の処理を繰返し実行している過程で、ＬＤアレイ３１のＬＤに光学故障が生じ、各ＬＤに流れる電流の値が定格電流値より上昇した場合を考える。ＬＤアレイ３１のうちの１個のＬＤが光学故障となった場合、各ＬＤに流れる電流は、  
１３４．４[Ｗ](第１の電力)／(４．２[Ｖ]×７[個])＝４．６[Ａ]  
となる。
【００４１】
上記ステップＳ１０３において、検出した電流値が定格電流値を超えており、ＬＤアレイ３１を構成するＬＤのいずれが光学故障を生じていると判断した場合（ステップＳ１０３のＹｅｓ）、投影処理部１３は光学故障を起こしているＬＤの数を推定し、残る正常なＬＤが定格より低い電流値となるようにＬＤアレイ３１への供給電力を低減させる（ステップＳ１０４）。
【００４２】
例えば各ＬＤに流れる電流の値が定格の４．０［Ａ］から上記したように４．６［Ａ］に上昇した場合、投影処理部１３は、各ＬＤに流れる電流を定格４．０［Ａ］より低い、３．４［Ａ］となるように、  
４．２[Ｖ]×３．４[Ａ]×７[個]＝９９．９６[Ｗ]（第２の電力）  
として、ＬＤアレイ３１に供給する電力を低下させる。
このように各ＬＤに流れる電流を３．４［Ａ］とすることで、もし次に別のもう１個のＬＤが光学故障を生じた場合でも、
９９．９６[Ｗ](第２の電力)／(４．２[Ｖ]×６[個])＝３．９７[Ａ]  
となり、各ＬＤに流れる電流の値が定格の４．０［Ａ］を超えることはない。
【００４３】
投影処理部１３は、このＬＤアレイ３１への供給電力の低減に伴い、色バランスが崩れないようなＬＥＤ５５の発光輝度となるように、ＬＥＤ５５に流す電流値を算出し、算出結果に応じた電流値でＬＥＤ５５を発光駆動させる（ステップＳ１０５）。
【００４４】
その後に投影処理部１３は、ＬＤアレイ３１を構成するＬＤの一部が損傷していることを示す警告メッセージ情報をＣＰＵ１８へ出力する（ステップＳ１０６）。
【００４５】
この警告メッセージ情報を受付けるＣＰＵ１８では、予め設定された手段、例えば光源に異常が生じたことを示すインジケータランプ（不図示）を点灯させる、あるいは光源部１５のＬＤアレイ３１の交換を促す文字ガイドメッセージの画像をマイクロミラー素子１４で表示している画像上に重畳して投影させる、などの警告をこのプロジェクタ装置１０のユーザに対して行ない、故障したＬＤアレイ３１の交換を積極的に促すことができる。
【００４６】
投影処理部１３では、この光学故障の状態からさらにＬＤアレイ３１を構成する個々のＬＤに流れる電流の値を検出した上で（ステップＳ１０７）、検出した電流値が「０（ゼロ）」となったか否かにより、上記光学故障を生じていたＬＤが切断したか否を判断する（ステップＳ１０８）。
【００４７】
ここで検出した電流値が「０（ゼロ）」となってはおらず、上記光学故障を生じていたＬＤがまだ導通していると判断した場合（ステップＳ１０８のＮｏ）、ＬＤアレイ３１は定格電流より低い電流での駆動により発光状態を維持しているものとして、投影処理部１３は再び上記ステップＳ１０４からの処理に戻り、定格駆動時より発光輝度が低く、投影画像が暗くなるものの、画像投影のための発光駆動を継続する。
【００４８】
こうしてステップＳ１０４〜Ｓ１０８の処理を繰返し実行し、駆動電流を低減して残るＬＤの熱的負荷を軽減すると共に、光学故障しているＬＤが断線するまでの時間を少しでも延長する。
【００４９】
上記ステップＳ１０８において、検出した電流値が「０（ゼロ）」であり、上記光学故障を生じていたＬＤが断線したと判断した時点で（ステップＳ１０８のＹｅｓ）、投影処理部１３は光源部１５の駆動を停止すると共に、マイクロミラー素子１４での画像表示動作を停止し（ステップＳ１０９）、以上でこの図４の処理を終了する。
【００５０】
プロジェクタ装置１０全体の制御を統括するＣＰＵ１８においては、この投影処理部１３での画像投影動作の終了に伴い、光源部１５のＬＤアレイ３１の交換が必要であることを示すインジケータランプ（不図示）を点灯させるなどの警報動作を行なう。
【００５１】
またＣＰＵ１８、及びこのＣＰＵ１８の制御の下に動作する投影処理部１３は、上記ステップＳ１０９で光源部１５での発光駆動を停止するのに代えて、赤色光を発するＬＥＤ５５のみを発光駆動し、予めプログラムメモリ２０に記憶していた、ＬＤアレイ３１の交換を促す文字メッセージの画像データを読出してマイクロミラー素子１４で表示させることにより、赤色の当該画像を投影させるようにしても良い。
【００５２】
以上詳述した如く本実施形態によれば、ＬＤアレイ３１を構成する直列接続された複数のＬＤの中で、不点灯状態となるＬＤが現出しても、その他の素子での発光をより長く維持することが可能となる。
【００５３】
また上記実施形態では、ＬＤアレイ３１を構成するＬＤ中の一部の光学故障に伴う、個々のＬＤに流れる電流の増加により、投影処理部１３が一部のＬＤの光学故障を検出するものとしたので、通常実施している発光素子の電流値制御の過程で光学故障の発生を併せて判断することができ、検出のための機構や回路等が不要となる。
【００５４】
さらに上記実施形態では、投影処理部１３がＬＤアレイ３１での故障を示す情報をＣＰＵ１８に対して出力することで、このプロジェクタ装置１０のユーザにＬＤアレイ３１の交換を促すような報知を行なうことができる。
【００５５】
また上記実施形態では、青色光を発するＬＤアレイ３１を構成するＬＤの一部で光学故障が発生した場合、他のＬＤを駆動するための電流を定格値より下げるのに併せて、赤色光を発するＬＥＤ５５の駆動電流値も合わせて下げることで、全体の光量は低下してしまうものの、色バランスを崩すことなく保持することができる。
【００５６】
なお上記実施形態では、上記ステップＳ１０３において、検出した電流値が定格電流値４．０[Ａ]を超えており、ＬＤアレイ３１を構成するＬＤのいずれかの１個が光学故障を生じていると判断した場合（ステップＳ１０３のＹｅｓ）、残る正常な７個のＬＤが定格より低い電流値である３．４［Ａ］となるようにＬＤアレイ３１への供給電力を低減させる（ステップＳ１０４）こととしたが、本発明はこのような制御方法に限らない。
【００５７】
例えば、各ＬＤに流れる電流の値が定格の４．０［Ａ］から４．６［Ａ］に上昇した場合、ＬＤアレイ３１を構成するＬＤのうちの１個が光学故障を生じていると判断し、投影処理部１３は、各ＬＤに流れる電流を定格の４．０［Ａ］とする。  
４．２[Ｖ]×４．０[Ａ]×７[個]＝１１７．６[Ｗ]  
次に、各ＬＤに流れる電流の値が４．０［Ａ］から４．７［Ａ］に上昇した場合、  
１１７．６[Ｗ]／(４．２[Ｖ]×６[個])＝４．６７[Ａ]  
となる。  
投影処理部１３は、ＬＤアレイ３１を構成するＬＤのうちの別のもう１個（つまり２個目）も光学故障を生じていると判断し、緊急事態のため、各ＬＤに流れる電流が定格の４．０［Ａ］より低い３．４［Ａ］となるように、  
４．２[Ｖ]×３．４[Ａ]×６[個]＝８５．６８[Ｗ]  
として、ＬＤアレイ３１に供給する電力を低下させても良い。
【００５８】
なお上記実施形態では、光源部１５が直列接続された複数のＬＤから構成されるＬＤアレイ３１を有するものとして、その駆動制御を行なう場合について例示したが、本発明は発光素子の内容を限定するものではなく、ＬＥＤや有機ＥＬ（エレクトロルミネッセンス）素子等を用いる場合にも同様に適用することが可能である。
【００５９】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００６０】
以下に、本願出願の当初の特許請求の範囲に記載された発明を付記する。  
［請求項１］  
直列接続された複数の発光素子と、  
上記複数の発光素子に対する第１の電力での駆動時に、上記複数の発光素子のうちの一部の発光素子の光学故障を検出する検出部と、  
上記検出部での検出結果に基づき、上記一部の発光素子以外の他の発光素子への供給電力を上記第１の電力より低下させた第２の電力とする電力制御部と、  
を備えることを特徴とする光源装置。  
［請求項２］  
上記検出部は、上記一部の発光素子の光学故障に伴う、上記他の発光素子に供給される電力の増加により、上記一部の発光素子の光学故障を検出することを特徴とする請求項１記載の光源装置。  
［請求項３］  
上記電力制御部は、上記他の発光素子に対する上記第２の電力での駆動時に、上記他の発光素子のうちの一部の発光素子の光学故障を検出した場合の各発光素子に流れる電流値が、上記複数の発光素子に対する上記第１の電力での駆動時における各発光素子に流れる電流値よりも低い値となるように、上記他の発光素子へ供給する上記第２の電力における各発光素子に流れる電流値を設定することを特徴とする請求項１または２記載の光源装置。  
［請求項４］  
上記検出部での検出結果に基づき、上記発光素子の故障を示す情報を出力する警告出力部をさらに備えることを特徴とする請求項１乃至３いずれか記載の光源装置。  
［請求項５］  
上記複数の発光素子と発光色が異なる第２の発光素子をさらに備え、  
上記電力制御部は、上記他の発光素子への供給電力を上記第１の電力より低下させる度合いに応じて、上記第２の発光素子の発光量が低下するように制御する、  
ことを特徴とする請求項１乃至４いずれか記載の光源装置。  
［請求項６］  
請求項１乃至５いずれか記載の光源装置と、  
上記光源装置から供給される光を用いて光像を形成し、被投影対象に照射して結像させる投影部と、  
を備えることを特徴とする投影装置。  
［請求項７］  
直列接続された複数の発光素子を備えた装置での光源制御方法であって、  
上記複数の発光素子に対する第１の電力での駆動時に、上記複数の発光素子のうちの一部の発光素子の光学故障を検出する検出工程と、
上記検出工程での検出結果に基づき、上記一部の発光素子以外の他の発光素子への供給電力を上記第１の電力より低下させた第２の電力とする電力制御工程と、  
を有することを特徴とする光源制御方法。
【符号の説明】
【００６１】
１０…プロジェクタ装置、
１１…入力部、
１２…画像変換部、
１３…投影処理部、
１４…マイクロミラー素子、
１５…光源部、
１６…ミラー、
１７…投影レンズ部、
１８…ＣＰＵ、
１９…メインメモリ、
２０…プログラムメモリ、
２１…操作部、
２２…音声処理部、
２３…スピーカ部、
３１…(青色光用)ＬＤアレイ、
３２…ミラーアレイ、
３５…ダイクロイックミラー、
３８…カラーホイール、
３８ｂ…透過用拡散板、
３８ｇ…(緑色光用)蛍光体層、
３９…モータ（Ｍ）、
４２…ダイクロイックミラー、
４４…インテグレータ、
５５…(赤色光用)ＬＥＤ、
ＳＢ…システムバス。
【図１】
2017157475.tif 000003
【図２】
2017157475.tif 000004
【図３】
2017157475.tif 000005
【図４】
2017157475.tif 000006